(57)【要約】【課題】ジャンプすべきページの数を容易に調整することができ、複数のページからなる画像集合から所定の画像を検索する場合においても、検索の効率を上げることができる画像表示装置、画像読取装置、画像形成装置、画像表示方法、コンピュータプログラム及び記録媒体を提供する。【解決手段】画像表示装置８の表示画面への接触操作位置を検出するタッチパネル８１の位置検出結果に基づき、２箇所の指定を受け付ける位置指定受付部８２と、前記２箇所の指定位置の位置関係に基づき、画像表示装置８に表示された既表示画像のページ番号から昇順又は降順方向にジャンプしたページ番号を、表示すべき画像のページ番号として特定するページ番号特定部８３とを備え、利用者は画像表示装置８の表示画面上の２箇所を接触操作することで、該２箇所の指定位置の位置関係に基づき、既表示画像のページ番号からジャンプしたページ番号の画像を画像表示装置８に表示する。【選択図】図１
2011060127.tif 000002
【特許請求の範囲】
【請求項１】
表示部と、該表示部の表示画面への接触操作位置を検出する位置検出手段とを備え、ページ番号に基づいてソートしたページ単位の画像集合のうち、何れかのページ番号の画像を前記表示部に表示する画像表示装置において、
前記位置検出手段の位置検出結果に基づき、２箇所の指定を受け付ける位置指定受付手段と、
前記２箇所の指定位置の位置関係に基づき、前記表示部に表示された既表示画像のページ番号から昇順又は降順方向にジャンプしたページ番号を、表示すべき画像のページ番号として特定するページ番号特定手段と
を備えていることを特徴とする画像表示装置。
【請求項２】
前記ページ番号特定手段は、
前記２箇所の指定位置の距離を検出する距離検出手段を備え、
該距離検出手段の検出結果に基づき、ジャンプすべき数値を求めるように構成されていることを特徴とする請求項１に記載の画像表示装置。
【請求項３】
前記ページ番号特定手段は、
前記距離検出手段の検出結果が所定閾値以上であるか否かを判定する判定手段を備え、
該判定手段の判定結果に基づき、前記数値を求めるように構成されていることを特徴とする請求項２に記載の画像表示装置。
【請求項４】
前記ページ番号特定手段は、  
前記判定手段の判定結果に基づき、前記数値の算出に係る係数を設定する設定手段を備と、
前記係数及び前記画像集合の全ページ数に基づき、前記数値を算出する算出手段と
を備えていることを特徴とする請求項３に記載の画像表示装置。
【請求項５】
前記位置検出手段の位置検出結果に基づき、前記既表示画像のページ番号から昇順方向又は降順方向のジャンプ方向指定を受け付ける方向指定受付手段を備えていることを特徴とする請求項１に記載の画像表示装置。
【請求項６】
前記ジャンプ方向指定を受け付けるための指定受付枠を前記表示部に表示する枠表示手段を備え、
前記方向指定受付手段は、
前記指定受付枠内における前記位置検出手段の検出結果に基づき、前記ジャンプ方向指定を受け付けるように構成されていることを特徴とする請求項５に記載の画像表示装置。
【請求項７】
請求項１から請求項６の何れか一つに記載の画像表示装置と、
原稿の画像を読み取る読み取り手段とを備え、
該読み取り手段によって読み取られた、複数ページからなる原稿の画像のうち、何れかのページの画像を前記表示装置が表示部に表示するように構成されていることを特徴とする画像読取装置。
【請求項８】
請求項１から請求項６の何れか一つに記載の画像表示装置を備え、
該画像表示装置によって前記表示部に表示された画像をシート上に形成するように構成してあることを特徴とする画像形成装置。
【請求項９】
表示部と、該表示部の表示画面への接触操作位置を検出する位置検出手段とを備える画像表示装置にて、ページ番号に基づいてソートしたページ単位の画像集合のうち、前記表示部に表示された既表示画像のページ番号から昇順又は降順方向にジャンプしたページ番号の画像を表示する画像表示方法において、  
前記位置検出手段の位置検出結果に基づき、２箇所の指定を受け付けるステップと、
前記２箇所の指定位置の距離を検出する距離検出ステップと、
該距離検出ステップの検出結果に基づき、ジャンプすべき数値を求める数値取得ステップと、
前記位置検出手段の位置検出結果に基づき、前記既表示画像のページ番号から昇順方向又は降順方向のジャンプ方向指定を受け付ける方向指定受付ステップと、
該方向指定受付ステップによって受け付けたジャンプ方向指定、及び前記数値取得ステップによって求められた数値に基づき、表示すべき画像のページ番号を特定するステップと
を含むことを特徴とする画像表示方法。
【請求項１０】
表示部と、該表示部の表示画面への接触操作位置を検出する位置検出手段とを備える画像表示装置のコンピュータに、ページ番号に基づいてソートしたページ単位の画像集合のうち、前記表示部に表示された既表示画像のページ番号から昇順又は降順方向にジャンプしたページ番号の画像を表示させるコンピュータプログラムにおいて、  
コンピュータに、
前記位置検出手段の位置検出結果に基づき、２箇所の指定を受付させるステップと、
前記２箇所の指定位置の距離を検出させる距離検出ステップと、
該距離検出ステップの検出結果に基づき、ジャンプすべき数値を求めさせる数値取得ステップと、
前記位置検出手段の位置検出結果に基づき、前記既表示画像のページ番号から昇順方向又は降順方向のジャンプ方向指定を受付させる方向指定受付ステップと、
該方向指定受付ステップによって受け付けたジャンプ方向指定、及び前記数値取得ステップによって求められた数値に基づき、表示すべき画像のページ番号を特定させるステップと
を実行させることを特徴とするコンピュータプログラム。
【請求項１１】
請求項１０に記載のコンピュータプログラムを記録してあることを特徴とするコンピュータでの読み取りが可能な記録媒体。
【発明の詳細な説明】
【技術分野】
【０００１】
本発明は、ページ単位の画像集合から何れかの画像を表示する、画像表示装置、該画像表示装置を備える画像読取装置及び画像形成装置、画像表示方法、コンピュータプログラム並びに記録媒体に関する。
【背景技術】
【０００２】
従来、いわゆるファイリング画像のような複数の画像集合から、表示装置に表示すべき画像を検索する方法としては、キーワードを用いる方法、画像入力時に予め画像インデックスとして画像の一部を登録し、そのインデックス画像を検索画像に用いる手法等がある。
【０００３】
また、特許文献１では、液晶ディスプレイと、該液晶ディスプレイの画面上のタッチ操作に応じて信号を出力するタッチパネルとを備え、タッチパネルの表面上のタッチ操作を検知し、検出結果に基づき、前記液晶ディスプレイにて表示されている画面のページより前ページ又は次ページの画像を表示することができ、さらに、前記タッチパネルをタッチする指の本数を検出し、検出結果に応じて、液晶ディスプレイにて表示されている画面のページからめくるページ数を変えることができる画像表示装置が開示されている。
【先行技術文献】
【特許文献】
【０００４】
【特許文献１】特開平８−７６９２６号公報
【発明の概要】
【発明が解決しようとする課題】
【０００５】
しかしながら、特許文献１の画像表示装置は、タッチパネルをタッチする指の本数を検出し、検出結果に応じて、液晶ディスプレイにて表示されている画面のページからめくるページ数を変えるように構成されているので、ページ数が多い画像集合から大きい数のページをジャンプして表示する場合は、指でタッチパネルをタッチする操作を何回も繰り返して行う必要があり、作業効率が低下する問題があった。
【０００６】
本発明は、斯かる事情に鑑みてされたものであり、その目的とするところは、表示部の表示画面への接触操作位置を検出する位置検出手段の位置検出結果に基づき、２箇所の指定を受け付ける位置指定受付手段と、前記２箇所の指定位置の位置関係に基づき、前記表示部に表示された既表示画像のページ番号から昇順又は降順方向にジャンプしたページ番号を、表示すべき画像のページ番号として特定するページ番号特定手段とを備え、利用者の前記表示部の表示画面上の接触操作の際、該接触操作に係る２箇所の指定位置の位置関係に基づき、既表示画像のページ番号からジャンプした所定ページ番号の画像を前記表示部に表示することにより、利用者は前記表示画面上を適宜接触操作してジャンプすべきページの数を容易に調整することができ、複数のページからなる画像集合から所定の画像を検索する場合においても、検索の効率を上げることができる画像表示装置、画像読取装置、画像形成装置、画像表示方法、コンピュータプログラム及び記録媒体を提供することにある。
【課題を解決するための手段】
【０００７】
本発明に係る画像表示装置は、表示部と、該表示部の表示画面への接触操作位置を検出する位置検出手段とを備え、ページ番号に基づいてソートしたページ単位の画像集合のうち、何れかのページ番号の画像を前記表示部に表示する画像表示装置において、前記位置検出手段の位置検出結果に基づき、２箇所の指定を受け付ける位置指定受付手段と、前記２箇所の指定位置の位置関係に基づき、前記表示部に表示された既表示画像のページ番号から昇順又は降順方向にジャンプしたページ番号を、表示すべき画像のページ番号として特定するページ番号特定手段とを備えていることを特徴とする。
【０００８】
本発明にあっては、前記位置検出手段の位置検出結果に基づき、２箇所の指定を受け付け、前記２箇所の指定位置の位置関係、例えば、相対的方向、距離等に基づき、前記表示部に表示された既表示画像のページ番号から昇順又は降順方向にジャンプしたページ番号を、表示すべき画像のページ番号として特定する。
【０００９】
本発明に係る画像表示装置は、前記ページ番号特定手段は、前記２箇所の指定位置の距離を検出する距離検出手段を備え、該距離検出手段の検出結果に基づき、ジャンプすべき数値を求めるように構成されていることを特徴とする。
【００１０】
本発明にあっては、前記距離検出手段によって検出された２箇所の指定位置の距離に基づき、前記数値を求める。例えば、前記距離検出手段によって検出された２箇所の指定位置の距離の整数値部分を前記数値とする。又は、２箇所の指定位置の距離に関連付けた前記数値を予め設定しておき、前記距離検出手段によって検出された２箇所の指定位置の距離に応じて前記数値を求める。又は、前記距離検出手段によって検出された２箇所の指定位置の距離を用いる所定の算出式により、前記数値を算出する。
【００１１】
本発明に係る画像表示装置は、前記ページ番号特定手段は、前記距離検出手段の検出結果が所定閾値以上であるか否かを判定する判定手段を備え、該判定手段の判定結果に基づき、前記数値を求めるように構成されていることを特徴とする。
【００１２】
本発明にあっては、例えば、前記距離検出手段によって検出された２箇所の指定位置の距離を用いる所定の算出式により、前記数値を算出する場合は、前記判定手段の判定結果に基づき、適用すべき算出式を異にし、より適宜な数値を算出する。
【００１３】
本発明に係る画像表示装置は、前記ページ番号特定手段は、前記判定手段の判定結果に基づき、前記数値の算出に係る係数を設定する設定手段を備え、前記係数及び前記画像集合の全ページ数に基づき、前記数値を算出する算出手段とを備えていることを特徴とする。
【００１４】
本発明にあっては、例えば、前記距離検出手段によって検出された２箇所の指定位置の距離を用いる所定の算出式により、前記数値を算出する場合は、前記判定手段の判定結果に基づき、該算出式に用いられる係数を異にし、より適宜な数値を算出する。
【００１５】
本発明に係る画像表示装置は、前記位置検出手段の位置検出結果に基づき、前記既表示画像のページ番号から昇順方向又は降順方向のジャンプ方向指定を受け付ける方向指定受付手段を備えていることを特徴とする。
【００１６】
本発明にあっては、前記ページ番号特定手段が、前記方向指定受付手段によって受け付けたジャンプ方向に、求められたジャンプすべき数値だけジャンプして、表示すべき画像のページ番号を特定する。
【００１７】
本発明に係る画像表示装置は、前記ジャンプ方向指定を受け付けるための指定受付枠を前記表示部に表示する枠表示手段を備え、前記方向指定受付手段は、前記指定受付枠内における前記位置検出手段の検出結果に基づき、前記ジャンプ方向指定を受け付けるように構成されていることを特徴とする。
【００１８】
本発明にあっては、前記指定受付枠内における接触操作位置を前記位置検出手段が検出し、該位置検出手段の検出結果に基づき、前記方向指定受付手段が前記ジャンプ方向指定を受け付け、前記ページ番号特定手段は、該ジャンプ方向にジャンプして、表示すべき画像のページ番号を特定する。
【００１９】
本発明に係る画像読取装置は、前述の発明の何れか一つに記載の画像表示装置と、原稿の画像を読み取る読み取り手段とを備え、該読み取り手段によって読み取られた、複数ページからなる原稿の画像のうち、何れかのページの画像を前記表示装置が表示部に表示するように構成されていることを特徴とする。
【００２０】
本発明にあっては、例えば、前記読み取り手段が複数ページからなる原稿の画像を読み取った場合、前記画像表示装置は、当該ページ単位の画像集合のうち、何れかのページの画像を前記表示部に表示する。
【００２１】
本発明に係る画像形成装置は、前述の発明の何れか一つに記載の画像表示装置を備え、該画像表示装置によって前記表示部に表示された画像をシート上に形成するように構成してあることを特徴とする。
【００２２】
本発明にあっては、前記画像表示装置によって、ページ単位の前記画像集合のうち、何れかのページの画像が前記表示部に表示され、該画像はシート上に画像形成される。
【００２３】
本発明に係る画像表示方法は、表示部と、該表示部の表示画面への接触操作位置を検出する位置検出手段とを備える画像表示装置にて、ページ番号に基づいてソートしたページ単位の画像集合のうち、前記表示部に表示された既表示画像のページ番号から昇順又は降順方向にジャンプしたページ番号の画像を表示する画像表示方法において、前記位置検出手段の位置検出結果に基づき、２箇所の指定を受け付けるステップと、前記２箇所の指定位置の距離を検出する距離検出ステップと、該距離検出ステップの検出結果に基づき、ジャンプすべき数値を求める数値取得ステップと、前記位置検出手段の位置検出結果に基づき、前記既表示画像のページ番号から昇順方向又は降順方向のジャンプ方向指定を受け付ける方向指定受付ステップと、該方向指定受付ステップによって受け付けたジャンプ方向指定、及び前記数値取得ステップによって求められた数値に基づき、表示すべき画像のページ番号を特定するステップとを含むことを特徴とする。
【００２４】
本発明に係るコンピュータプログラムは、表示部と、該表示部の表示画面への接触操作位置を検出する位置検出手段とを備える画像表示装置のコンピュータに、ページ番号に基づいてソートしたページ単位の画像集合のうち、前記表示部に表示された既表示画像のページ番号から昇順又は降順方向にジャンプしたページ番号の画像を表示させるコンピュータプログラムにおいて、コンピュータに、前記位置検出手段の位置検出結果に基づき、２箇所の指定を受付させるステップと、前記２箇所の指定位置の距離を検出させる距離検出ステップと、該距離検出ステップの検出結果に基づき、ジャンプすべき数値を求めさせる数値取得ステップと、前記位置検出手段の位置検出結果に基づき、前記既表示画像のページ番号から昇順方向又は降順方向のジャンプ方向指定を受付させる方向指定受付ステップと、該方向指定受付ステップによって受け付けたジャンプ方向指定、及び前記数値取得ステップによって求められた数値に基づき、表示すべき画像のページ番号を特定させるステップとを実行させることを特徴とする。
【００２５】
本発明にあっては、前記位置検出手段の位置検出結果に基づき、２箇所の指定を受け付けて該２箇所の指定位置の距離を検出し、該距離の検出結果に基づき、ジャンプすべき数値を求める。また、前記位置検出手段の位置検出結果に基づき、前記既表示画像のページ番号から昇順方向又は降順方向のジャンプ方向指定を受け付ける。受け付けたジャンプ方向指定、及び求められたジャンプすべき数値に基づき、表示すべき画像のページ番号を特定する。
【００２６】
本発明に係る記録媒体は、前述の発明のコンピュータプログラムを記録してあることを特徴とする。
【００２７】
本発明にあっては、前記記億媒体に前述のコンピュータプログラムを記録する。コンピュータが前記記録媒体からコンピュータプログラムを読み出して、前述の画像表示装置、画像読取装置、画像形成装置、及び画像表示方法がコンピュータにより実現される。
【発明の効果】
【００２８】
本発明によれば、利用者は前記表示部の表示画面上の２箇所を接触操作することで、該２箇所の指定位置の位置関係に基づき、既表示画像のページ番号からジャンプしたページ番号の画像が前記表示部に表示されるので、前記２箇所の指定位置の位置関係を変えることによってジャンプすべきページの数を容易に調整することができ、複数のページからなる画像集合から所定の画像を検索する場合においても、検索の効率を上げることができる。
【図面の簡単な説明】
【００２９】
【図１】本発明の実施の形態１のデジタル複合機の要部構成を示すブロック図である。
【図２】本発明の実施の形態１のデジタル複合機の画像処理装置の要部構成を示す機能ブロック図である。
【図３】本発明の実施の形態１のデジタル複合機のページ番号特定部の要部構成を示す機能ブロック図である。
【図４】ジャンプページ数テーブルの一例を示す例示図である。
【図５】本発明の実施の形態１のデジタル複合機による画像の検索の処理を示すフローチャートである。
【図６】本発明の実施の形態１のデジタル複合機による画像の検索の処理を示すフローチャートである。
【図７】画像集合から所定の画像を検索する際における、利用者の接触操作を説明する説明図である。
【図８】利用者による「ページ捲り」ソフトキーのスライド操作を説明するための説明図である。
【図９】デジタル複合機による画像の検索の処理による検索の結果の一例を示す例示図である。
【図１０】ジャンプ方向指定を受け付けるための構成の他の例を示す例示図である。
【図１１】本発明の実施の形態２に係る画像読取装置の要部構成を示す機能ブロック図である。
【図１２】本発明の実施の形態３のデジタル複合機の要部構成を示す機能ブロック図である。
【発明を実施するための形態】
【００３０】
（実施の形態１）
以下、本発明に係る画像表示装置、画像形成装置、画像表示方法、コンピュータプログラム及び記録媒体を、コピー機能、印刷機能等を有するデジタル複合機に適用した形態について、図面を用いて具体的に説明する。
【００３１】
本発明の実施の形態１に係るデジタル複合機においては、取得した画像にページ番号を付し、各画像とページ番号とを対応させて記憶しておき、これらのページ単位の複数の画像からなる画像集合から、所定のページの画像を表示部に表示する。また、利用者からの指示を受け付け、既に前記表示部に表示されている既表示画像のページ番号から、前記利用者からの指示に係るページ数をジャンプして、ジャンプ後のページ番号の画像を前記表示部に表示する。また、本発明の実施の形態１に係るデジタル複合機は、前記表示部の表示画面への接触操作位置を検出するタッチパネルを備え、該タッチパネルを介して、画像検索に係る利用者の指示を受け付けることが出来る。
【００３２】
図１は本発明の実施の形態１のデジタル複合機１の要部構成を示すブロック図である。実施の形態１のデジタル複合機１は、制御部２と、画像入力装置３と、画像出力装置５と、画像処理装置４と、通信装置６と、記憶部９と、操作装置１０とを備えており、これらハードウェアはバスＮによって接続されている。また、操作装置１０は画像表示装置８及び座標格納部７を備えている。
【００３３】
制御部２はＣＰＵ、ＲＯＭ及びＲＡＭ（図示せず）を備えている。ＲＯＭには各種の制御プログラム及びデータ等が予め格納されており、ＲＡＭは、複数のデータを記憶し、記憶順、記憶位置等に関係なく読み出すことが可能である。また、ＲＡＭは、例えば、ＲＯＭから読み出されたプログラム、該プログラムを実行することにより発生するデータ、外部から受信したデータ等を一時的に記憶する。ＲＡＭは、ＣＰＵの読出指示に応じて記憶してある各種データ等を適宜読み出す。
【００３４】
ＣＰＵは、ＲＯＭに予め格納されている制御プログラムをＲＡＭ上にロードして実行することによって前述の各種ハードウェアの制御を行い、装置全体を本発明の実施の形態１のデジタル複合機１として動作させる。
【００３５】
なお、画像入力装置３は、原稿の画像を光学的に読み取る。また、画像入力装置３は、読み取り用の原稿に光を照射する光源、例えばＣＣＤ（Charge Coupled Device）のようなイメージセンサ等を有する。画像入力装置３では、載置台にセットされた原稿からの反射光像を前記イメージセンサに結像させ、ＲＧＢ（R : Red, G : Green, B : Blue）のアナログデータを出力する。画像入力装置３が出力したアナログデータは画像処理装置４に入力される。
【００３６】
画像出力装置５は、画像処理装置４から出力されるＣＭＹＫデータの画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等を備えており、電子写真方式にて利用者が所望する画像をシート上に形成する。
【００３７】
通信装置６は、画像処理装置４にて処理した後の画像データを外部へ送信するネットワークカード、モデム等を備えており、例えば、前記画像データをメールに添付して、利用者によって指定された送信先に送信する。
【００３８】
記憶部９は、例えば、不揮発性の半導体メモリであり、画像入力装置３によって読み取られた画像、又は通信装置６を介して外部から取得した画像にページ番号を付し、各画像とページ番号とを対応させて記憶する。また、記憶部９は、後述する距離判定部８３２が判定を行う際に用いる閾値を記憶している。更に、記憶部９は、後述する距離検出部８３１による検出結果である２箇所の指定位置の距離と、ジャンプすべきページ数とを関連付けて記録したテーブルを記憶している。
【００３９】
なお、本発明の実施の形態１のデジタル複合機１は計時部（図示せず）を備えており、計時部は所定処理における計時を行う。
【００４０】
画像処理装置４は、例えば画像入力装置３を通じて入力されるアナログデータを基にデジタル形式の画像データを生成し、又は記憶部９に記憶されている画像データを読み出し、夫々の画像の種類に応じた処理を施した後、出力用画像データを生成する。該出力用画像データは、画像出力装置５又は通信装置６に出力される。
【００４１】
図２は本発明の実施の形態１のデジタル複合機１の画像処理装置４の要部構成を示す機能ブロック図である。画像処理装置４は、Ａ／Ｄ（アナログ／デジタル）変換部４０、シェーディング補正部４１、入力処理部４２、領域分離処理部４８、色補正部４４、黒生成／下色除去部４５、空間フィルタ部４６、中間調生成部４７、及び表示制御部４９を備えている。
【００４２】
画像入力装置３にて読み取られた画像のアナログデータは、画像処理装置４内を、Ａ／Ｄ変換部４０、シェーディング補正部４１、入力処理部４２、領域分離処理部４８、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。
【００４３】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【００４４】
入力処理部４２は、シェーディング補正部４１にて各種の歪みが取り除かれたＲＧＢデータ（ＲＧＢの反射率データ）夫々に対してγを補正し、カラーバランスを整えると同時に、濃度データに変換する処理を施す。
【００４５】
表示制御部４９は、操作装置１０（タッチパネル８１）を介して受け付けた利用者からの指示に係る画像を、記憶部９から読み出して、画像表示装置８に表示させる。記憶部９には、例えば、画像入力装置３により読み取られた画像が保存される。つまり、操作装置１０（タッチパネル８１）を介してジャンプすべきページ数（ジャンプすべき数値）を受け付け、前記既表示画像のページ番号から前記ページ数だけジャンプしたページ番号（以下、目的ページ番号と言う）が求められる。表示制御部４９は前記目的ページ番号に係る画像を画像表示装置８に表示させる。
【００４６】
領域分離処理部４８は、入力処理部４２からのＲＧＢデータより、入力画像データの各画素が文字領域、網点領域、印刷紙写真領域（連続階調領域）等の何れかに分離する。領域分離処理部４８は、分離結果に基づき、画素がどの領域に属しているかを示す領域識別データを、黒生成／下色除去部４５、空間フィルタ部４６、及び中間調生成部４７へと出力する。
【００４７】
色補正部４４では、ＲＧＢデータの補正であるＣＭＹ（Ｃ：シアン・Ｍ：マゼンタ・Ｙ：イエロー）データが生成されると共に、色再現性を高めるために、不要吸収成分を含むＣＭＹ色材の分光特性に基づいた色濁りを取り除く処理を行う。
【００４８】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行い、ＣＭＹの３色データがＣＭＹＫの４色データに変換される。
【００４９】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐ。
【００５０】
また、中間調生成部４７は、ＣＭＹＫデータの画像データに対して、領域識別データを基に例えば階調再現処理を施す。該階調再現処理が施されたＣＭＹＫデータの画像データは画像出力装置５に出力される。
【００５１】
また、操作装置１０は、デジタル複写機１における「ファックス」、「複写」、「印刷」、「メール」等の機能を切り替える機能ボタン、テンキー、受け付けた指示を確定するためのエンターキー、画像入力装置３にて読み取った原稿の画像及び画像表示装置８の表示部に表示された画像をシート上に画像形成するための「出力」又は「コピー」キー等を備えている。
【００５２】
また、操作装置１０は、前記画像集合から所定画像を検索するためのページジャンプモードの選択を受け付けることが出来るように構成されている。すなわち、操作装置１０は、前記ページジャンプモードが選択された場合、後述するタッチパネル８１を利用者が接触操作することによってジャンプすべきページ数を受け付け、前記画像集合の既表示画像のページ番号から前記ページ数だけジャンプした目的ページ番号が求め、該目的ページ番号の画像が画像表示装置８に表示される。
【００５３】
画像表示装置８はデジタル複写機１の状態、ジョブ処理の状況、読み取った画像のプレビュー画像、操作装置１０の操作内容の確認等、利用者に対して報知すべき情報を表示する、例えば液晶ディスプレイからなる表示部（図示せず）を備えている。また、画像表示装置８は、該表示部への利用者の指先の接触を検知するタッチパネル８１と、タッチパネル８１を介して位置の指定を受け付ける位置指定受付部８２と、前記目的ページ番号を特定するページ番号特定部８３とを備えている。
【００５４】
タッチパネル８１は、例えば、指先の押圧操作による圧力の変化を検知し、又は静電気による電気信号を検知し、利用者の指先の接触点の表示画面上の座標を特定する信号を発生する。また、タッチパネル８１は複数点の認識が可能ないわゆるマルチタッチパネルであり、複数点が指定された場合、各々の点を個別に認識することが可能である。
【００５５】
位置指定受付部８２は、タッチパネル８１を介して利用者から位置の指定を受け付ける。すなわち、利用者の指先が画像表示装置８のタッチパネル８１の所定位置をタッチして位置を指定した場合、位置指定受付部８２はタッチパネル８１から信号を取得し、該信号に基づいて利用者の指先とタッチパネル８１との接触（タッチ）点の座標を特定する。また、利用者がいわゆるスライド操作を行った場合は、上述した手法により、スライド開始点及び指先を離した位置（以下、離接点と言う）の座標を特定する。
【００５６】
図３は本発明の実施の形態１のデジタル複合機１のページ番号特定部８３の要部構成を示す機能ブロック図である。ページ番号特定部８３は、距離検出部８３１と、距離判定部８３２と、係数設定部８３３と、ページ数算出部８３４と、方向指定受付部８３５と、枠表示部８３６とを備えており、タッチパネル８１を介して受け付ける利用者からの指示に応じて、前記目的ページ番号を特定する。
【００５７】
距離検出部８３１は、上述したように、位置指定受付部８２がタッチパネル８１を介して受け付けた複数位置の座標に基づき、これらの位置の間の距離を検出する。詳しくは、位置指定受付部８２が２箇所の指定位置の座標を取得し、距離検出部８３１が該２箇所の指定位置の座標に基づき、２箇所の指定位置の距離を検出する。距離検出部８３１による検出結果に基づき、ジャンプすべきページ数（以下、ジャンプページ数と言う）が求められる。
【００５８】
距離判定部８３２は、距離検出部８３１によって得られる前記２箇所の指定位置の距離が所定閾値以上であるか否かを判定する。本実施例においては、距離判定部８３２の判定結果に基づき、前記２箇所の指定位置の距離が所定閾値以上である場合、及び前記２箇所の指定位置の距離が所定閾値未満である場合における、前記ジャンプページ数の求め手法を異にする。
【００５９】
ジャンプページ数の求め手法としては、例えば、距離判定部８３２の判定結果に基づき、異なる算出方法によって前記ジャンプページ数を求める求め手法１と、複数の範囲毎にジャンプページ数を予め設定しておき、距離判定部８３２の判定結果に基づいて何れかの範囲に係るジャンプページ数を求める求め手法２等が挙げられる。
【００６０】
係数設定部８３３は、例えば、求め手法１の場合において、距離判定部８３２による判定結果に基づき、前記ジャンプページ数の算出に係る算出係数を設定する。例えば、求め手法１においては、前記２箇所の指定位置の距離が所定閾値以上であると判定された場合と、前記２箇所の指定位置の距離が所定閾値未満であると判定された場合と、夫々異なる算出係数を設定する。
【００６１】
ページ数算出部８３４は、例えば、求め手法１の場合において、係数設定部８３３によって設定された算出係数、並びに前記画像集合の全ページ数に基づき、ジャンプページ数を算出する。
【００６２】
以下、ページ数算出部８３４によるジャンプページ数の算出方法について、求め手法１及び求め手法２を例として説明する。説明の便宜上、タッチパネル８１を介して２箇所の位置指定を受け付けた後の処理を例として説明する。
【００６３】
（１）求め手法１
まず、画像集合の全ページ数に基づいて、ジャンプページ数を算出する場合について説明する。
例えば、閾値を５ｃｍとし、距離検出部８３１によって検出された２箇所の指定位置の距離が例えば５ｃｍ以上であると距離判定部８３２によって判定された場合、係数設定部８３３は算出係数を０．５に設定する。一方、距離判定部８３２によって２箇所の指定位置の距離が５ｃｍ未満であると判定された場合は、係数設定部８３３は以下の式によって得られる数値を算出係数として設定する。
算出係数＝０．５×（２箇所の指定位置の距離÷５）  
【００６４】
以上のようにして、算出係数が設定された場合、ページ数算出部８３４は、該算出係数及び前記画像集合の全ページ数に基づき、以下の式を用いてジャンプページ数を算出する。
ジャンプページ数＝算出係数×画像集合の全ページ数
なお、斯かる算出結果において、少数点以下を切り捨て、整数値のみをジャンプページ数とする。
【００６５】
次いで、画像集合の全ページ数に関わることなく、ジャンプページ数を算出する場合について説明する。
距離検出部８３１によって検出された２箇所の指定位置の距離が例えば５ｃｍ以上であると距離判定部８３２によって判定された場合、ページ数算出部８３４がジャンプページ数を１０に設定する。一方、距離判定部８３２によって２箇所の指定位置の距離が５ｃｍ未満であると判定された場合は、ページ数算出部８３４は、以下の式を用いてジャンプページ数を算出する。
ジャンプページ数＝１０×（２箇所の指定位置の距離÷５）
なお、斯かる算出結果において、少数点以下を切り捨て、整数値のみをジャンプページ数とする。
【００６６】
（２）求め手法２
例えば、記憶部９に、複数の閾値（例えば、閾値１、閾値２、閾値３）と、２箇所の指定位置の距離が、閾値１以下である場合、閾値１及び閾値２の間である場合、並びに閾値３以上である場合の夫々に対応するジャンプページ数とを予め記憶しておき、距離検出部８３１によって検出された２箇所の指定位置の距離が何れに該当するかを距離判定部８３２が判定し、ページ数算出部８３４が対応するジャンプページ数を求める。
【００６７】
なお、これに限るものでなく、２箇所の指定位置の距離の所定範囲毎に、ジャンプページ数を関連付けた記録したジャンプページ数テーブルを記憶部９に予め記憶しておき、距離検出部８３１によって検出された２箇所の指定位置の距離に対応するジャンプページ数を、ページ数算出部８３４が前記ジャンプページ数テーブルから求めるように構成しても良い。図４は前記ジャンプページ数テーブルの一例を示す例示図である。図４（ａ）のジャンプページ数テーブルにおいては、前記画像集合の全ページ数に基づくジャンプページ数が設定されており、図４（ｂ）のジャンプページ数テーブルにおいては、画像集合の全ページ数に関わることなく、固定値が設定されている。
【００６８】
方向指定受付部８３５は、タッチパネル８１を介してジャンプすべき方向の指定（以下、ジャンプ方向指定）を受け付ける。すなわち、方向指定受付部８３５は、前記既表示画像のページ番号から昇順又は降順方向のジャンプ方向指定を受け付ける。例えば、前記画像集合から所定画像を検索する場合、方向指定受付部８３５が受け付けたジャンプ方向に、ページ数算出部８３４によって求められたジャンプページ数だけジャンプした目的ページ番号が特定され、該目的ページ番号の画像が検索結果として表示される。
【００６９】
ジャンプ方向指定の受け付けについて詳しく説明する。
枠表示部８３６によって画像表示装置８の表示部に表示される、後述する「ページ捲り」ソフトキーの枠内での利用者の接触操作により、タッチパネル８１を介して位置指定受付部８２が受け付けた位置指定に基づき、方向指定受付部８３５がジャンプ方向指定を受け付ける。例えば、利用者が「ページ捲り」ソフトキーの左側から右側へいわゆるスライド操作を行った場合においては、タッチパネル８１を介して位置指定受付部８２がスライド開始点及び離接点の座標を特定し、離接点における横軸の座標値がスライド開始点より所定閾値以上大きいとＣＰＵが判定した場合、方向指定受付部８３５は前記既表示画像のページ番号から昇順方向のジャンプ方向指定を受け付ける。一方、利用者が「ページ捲り」ソフトキーの右側から左側へスライド操作を行った場合においては、離接点における横軸の座標値がスライド開始点より所定閾値以上小さいとＣＰＵが判定した場合、方向指定受付部８３５は前記既表示画像のページ番号から降順方向のジャンプ方向指定を受け付ける。なお、これに限るものでなく、上下（縦軸）方向へのスライド操作に基づき、ジャンプ方向指定を受け付けるように構成しても良い。
【００７０】
枠表示部８３６は、画像表示装置８の表示部に、矩形の「ページ捲り」ソフトキーを表示し、「ページ捲り」ソフトキーを介して、ページジャンプ実行指示を受け付ける。つまり、上述したように、利用者が「ページ捲り」ソフトキーの左側から右側へスライド操作を行った場合は、方向指定受付部８３５はジャンプ方向指定を受け付ける。また、この際、ＣＰＵは、該ジャンプ方向への、ページ数算出部８３４によって算出されたジャンプページ数だけのページジャンプ実行指示を受け付ける。
【００７１】
座標格納部７は、タッチパネル８１を介して位置指定受付部８２が受け付けた位置の指定に係る座標を記憶する。例えば、タッチパネル８１をタッチした場合のタッチ点の座標、利用者がいわゆるスライド操作を行った場合のスライド開始点及び離接点の座標等を、位置指定受付部８２介して取得し、記憶する。
【００７２】
以下、本発明の実施の形態１のデジタル複合機１による画像の検索について説明する。図５及び図６は本発明の実施の形態１のデジタル複合機１による画像の検索の処理を示すフローチャートである。説明の便宜上、画像入力装置３が１２枚の原稿束を読み取って、該原稿束に係る画像を画像表示装置８の表示部に表示した場合を例として説明する。換言すれば、画像表示装置８の表示部には全ページ数が１２の画像集合が表示されている。また、上述した求め手法１によってジャンプページ数を算出する場合を例として説明する。なお、記憶部９には、前記画像集合の最初ページ番号の「１」と、最終ページ番号の「１２」とが記憶されている。
【００７３】
前記画像集合から所定画像の検索を行うために、利用者は、操作装置１０を操作してページジャンプモードを選択する。ＣＰＵは操作装置１０を介してページジャンプモードの選択の指示を受け付ける（ステップＳ１０１）。
【００７４】
次いで、ＣＰＵが枠表示部８３６に指示し、画像表示装置８に、前記「ページ捲り」ソフトキーを表示する（ステップＳ１０２）。該「ページ捲り」ソフトキーを形成する矩形の枠に係る座標は記憶部９に記憶されており、ＣＰＵが該枠の座標に基づき、後述するように、枠内における接触操作であるか否かの判定を行う。
【００７５】
図７は前記画像集合から所定の画像を検索する際における、利用者の接触操作を説明する説明図である。例えば、利用者は、図７に示すように、指先にてタッチパネル８１を押圧し、点Ａ及び点Ｂの２箇所を指定する。この際、位置指定受付部８２はタッチパネル８１を介して位置指定を受け付け、受け付けた位置指定に係る座標は座標格納部７に記憶される。なお、点Ａ及び点Ｂの２箇所の指定位置の距離は２ｃｍであるとする。その後、利用者は「ページ捲り」ソフトキーの枠内で、所定方向へのスライド操作を行い、昇順又は降順方向のジャンプ方向を指定する。位置指定受付部８２は更にタッチパネル８１を介してスライド開始点及び離接点の位置指定を受け付け、スライド開始点及び離接点の座標は座標格納部７に記憶される。図８は利用者による「ページ捲り」ソフトキーのスライド操作を説明するための説明図である。
【００７６】
このような操作が行われた場合、ＣＰＵは２箇所の位置指定を受け付けたか否かを判定する（ステップＳ１０３）。詳しくは、ＣＰＵは、記憶部９に記憶されている、位置指定受付部８２によって受け付けられた位置指定に係る座標に基づき、前記「ページ捲り」ソフトキーの枠外における２箇所の位置指定を受け付けたか否かを判定する。
【００７７】
ＣＰＵは、２箇所の位置指定を受け付けていないと判定した場合（ステップＳ１０３：ＮＯ）、ページ数算出部８３４に指示し、ジャンプページ数を「１」に設定する（ステップＳ１０８）。ＣＰＵの指示に応じて、ページ数算出部８３４はジャンプページ数を「１」として設定する。すなわち、既表示画像のページ番号から「１」だけジャンプしたページ番号が目的ページ番号として特定される。以降、処理はステップＳ１０９に移動する。
【００７８】
一方、ＣＰＵは、２箇所の位置指定を受け付けたと判定した場合（ステップＳ１０３：ＹＥＳ）、距離検出部８３１に指示し、２箇所の指定位置の距離を検出する（ステップＳ１０４）。ＣＰＵの指示に応じて、距離検出部８３１は、座標格納部７に記憶している２箇所（点Ａ及び点Ｂ）の座標に基づき、点Ａ及び点Ｂの間の距離を検出する。
【００７９】
ついで、ＣＰＵは、距離判定部８３２に指示し、点Ａ及び点Ｂの間の距離が所定閾値以上であるか否かを判定する（ステップＳ１０５）。上述したように、所定閾値を５ｃｍとした場合、ＣＰＵの指示に応じて、距離判定部８３２は、距離検出部８３１によって得られた、点Ａ及び点Ｂの間の距離が５ｃｍ以上であるか否かを判定する。本実施例においては、点Ａ及び点Ｂの２箇所の指定位置の距離は２ｃｍであるので、距離判定部８３２は、点Ａ及び点Ｂの間の距離が所定閾値以上でないと判定する。
【００８０】
ＣＰＵは、係数設定部８３３に指示し、ジャンプページ数の算出に係る算出係数を設定する（ステップＳ１０６）。ＣＰＵの指示に応じて、係数設定部８３３は算出係数を設定する。
【００８１】
詳しくは、ステップＳ１０８で距離判定部８３２によって、点Ａ及び点Ｂの間の距離が所定閾値以上でないと判定されたので、上述の例のように、「算出係数＝０．５×（２箇所の指定位置の距離÷５）」の式によって設定される。すなわち、算出係数は０．２に設定される。
【００８２】
ついで、ＣＰＵは、ページ数算出部８３５に指示し、ジャンプページ数を算出する（ステップＳ１０７）。ＣＰＵの指示に応じて、ページ数算出部８３５は、係数設定部８３３によって設定された算出係数と、前記画像集合の全ページ数とに基づき、ジャンプページ数を算出する。
【００８３】
詳しくは、上述の例のように、「ジャンプページ数＝算出係数×画像集合の全ページ数」の式を用いて算出される。該算出の結果は「２．４」であるが、ジャンプページ数としては少数点以下を切り捨て「２」が得られる。
【００８４】
ついで、ＣＰＵは、ページ数算出部８３５によって算出されたジャンプページ数が「１」を越えるか否かを判定する（ステップＳ１０９）。ＣＰＵは、ジャンプページ数が「１」を越えないと判定した場合（ステップＳ１０９：ＮＯ）、ページ数算出部８３４に指示し、ジャンプページ数を「１」に設定する（ステップＳ１１１）。ＣＰＵの指示に応じて、ページ数算出部８３４はジャンプページ数を「１」として設定する。以降、処理はステップＳ１１０に移動する。
【００８５】
一方、ＣＰＵは、ジャンプページ数が「１」を越えると判定した場合（ステップＳ１０９：ＹＥＳ）、方向指定受付部８３５に指示し、ジャンプ方向指定を受け付ける（ステップＳ１１０）。方向指定受付部８３５は座標格納部７に記憶されているスライド開始点及び離接点の座標に基づき、ジャンプ方向指定を受け付ける。方向指定受付部８３５による方向指定の受付についての詳しい説明は、上述したとおりであり、説明は省略する。なお、以下においては、受け付けたジャンプ方向指定に係るジャンプ方向は「既表示画像のページ番号から昇順方向」であるとする。
【００８６】
ついで、ＣＰＵは、ページ番号特定部８３に指示し、目的ページ番号を特定する（ステップＳ１１２）。すなわち、ページ番号特定部８３は、得られたジャンプページ数の「２」だけ、ステップＳ１１０にて受け付けたジャンプ方向指定に係る「既表示画像のページ番号から昇順方向」にジャンプしたページ番号を目的ページ番号として特定する。本実施の形態においては、既表示画像のページ番号が「１」であるので、目的ページ番号は「３」になる。
【００８７】
ＣＰＵは、ページ番号特定部８３によって特定された目的ページ番号が最初ページ番号の未満であるか否かを判定する（ステップＳ１１３）。これは、ＣＰＵが記憶部９に記憶されている前記画像集合の最初ページ番号の「１」と、前記目的ページ番号とを比較することによって行われる。ＣＰＵは、目的ページ番号が最初ページ番号の未満であると判定した場合（ステップＳ１１３：ＹＥＳ）、最初ページ番号を目的ページ番号として設定する（ステップＳ１１５）。ＣＰＵは、記憶部９に記憶されている最初ページ番号の「１」を目的ページ番号として設定する。以降、処理はステップＳ１１７に移動する。
【００８８】
一方、ＣＰＵは、ページ番号特定部８３によって特定された目的ページ番号が最初ページ番号の未満でないと判定した場合（ステップＳ１１３：ＮＯ）、ページ番号特定部８３によって特定された目的ページ番号が最終ページ番号の超過であるか否かを判定する（ステップＳ１１４）。これは、ＣＰＵが記憶部９に記憶されている前記画像集合の最終ページ番号の「１２」と、前記目的ページ番号とを比較することによって行われる。ＣＰＵは、ページ番号特定部８３によって特定された目的ページ番号が最終ページ番号の超過であると判定した場合（ステップＳ１１４：ＹＥＳ）、最終ページ番号を目的ページ番号として設定する（ステップＳ１１６）。ＣＰＵは、記憶部９に記憶されている最終ページ番号の「１２」を目的ページ番号として設定する。
【００８９】
ＣＰＵは、ページ番号特定部８３によって特定された目的ページ番号が最終ページ番号の超過でないと判定した場合（ステップＳ１１４：ＮＯ）、ページ番号特定部８３によって特定された目的ページ番号に係る画像を画像表示装置８の表示部に表示する（ステップＳ１１７）。一方、ＣＰＵによって目的ページ番号が最初ページ番号又は最終ページ番号として設定された場合は、最初ページ番号又は最終ページ番号に係る画像を画像表示装置８の表示部に表示する。本実施の形態においては、ページ番号特定部８３によって特定された目的ページ番号である「３」に係る画像が画像表示装置８の表示部に表示される。すなわち、ＣＰＵは、記憶部９からページ番号「３」に対応する画像を取得して該画像の画像表示装置８の表示部への表示を表示制御部４９に指示し、該画像が画像表示装置８の表示部に表示される。図９は以上のデジタル複合機１による画像の検索の処理による検索の結果の一例を示す例示図である。上述した処理によって、目的ページ番号は「３」に特定され、ページ番号「３」の画像が画像表示装置８の表示部に表示されている。
【００９０】
その後、ＣＰＵは、前記計時部の計時結果に基づき、目的ページ番号の画像の画像表示装置８の表示部への表示後、所定時間が経過したか否かを判定する（ステップＳ１１８）。ＣＰＵは、所定時間が経過していないと判定した場合（ステップＳ１１８：ＮＯ）、所定時間が経過するまで待機する。
【００９１】
一方、ＣＰＵは、所定時間が経過したと判定した場合（ステップＳ１１８：ＹＥＳ）、タッチパネル８１を監視することによって、位置指定を受け付けたか否かを判定する（ステップＳ１１９）。
【００９２】
ＣＰＵは、位置指定を受け付けたと判定した場合（ステップＳ１１９：ＹＥＳ）、処理をステップＳ１０３に戻す。一方、ＣＰＵは、位置指定を受け付けていないと判定した場合（ステップＳ１１９：ＮＯ）、処理を終了する。
【００９３】
なお、本実施例は、前記「ページ捲り」ソフトキーの枠内での利用者の接触操作により、タッチパネル８１を介して位置指定受付部８２が受け付けた位置指定に基づき、ジャンプ方向指定を受け付ける構成であったが、これに限るものでない。例えば、枠表示部８３６が「進む」又は「戻る」ソフトキー（指定受付枠）を夫々表示し、該「進む」又は「戻る」ソフトキーを介して昇順又は降順方向のジャンプ方向指定を受け付けるように構成しても良い。図１０はジャンプ方向指定を受け付けるための構成の他の例を示す例示図である。
【００９４】
また、実施の形態１においては、利用者が、ジャンプページ数を算出するための２箇所の位置指定の操作と、ジャンプ方向指定の操作との２段階に亘る操作を行う場合を例として説明したが、これに限るものでなく、利用者の１回のみの操作で、これらの指示を受け付けるように構成しても良い。
【００９５】
例えば、前記２箇所のうち、最初に受け付けた位置指定に係る第１点を基準とし、次に受け付けた位置指定に係る第２点が左側（又は上側）である場合、既表示画面から降順方向のジャンプ方向指定を受け付け、第１点より第２点が右側（又は下側）である場合、既表示画面から昇順方向のジャンプ方向指定を受け付けるように構成する。また、第１点及び第２点間の距離に基づき、ジャンプページ数を算出する構成は上述と同様である。
【００９６】
なお、実施の形態１では、画像入力装置３が複数枚の原稿束を読み取って、該原稿束に係る画像を画像表示装置８の表示部に表示した場合を例として説明したが、これに限るものでない。例えば、ファイリングモードを設けて、既に記憶部９に記憶しているファイリングデータを表示させた場合も適用可能であることは言うまでもない。
【００９７】
（実施の形態２）
図１１は本発明の実施の形態２に係る画像読取装置１Ａの要部構成を示す機能ブロック図である。実施の形態２に係る画像読取装置１Ａは、制御部２と、画像入力装置３Ａと、画像処理装置４と、通信装置６と、記憶部９と、操作装置１０とを備えている。また、操作装置１０は画像表示装置８及び座標格納部７を備えている。
【００９８】
画像入力装置３Ａは原稿の画像を光学的に読み取る。また、画像入力装置３Ａは、読み取り用の原稿に光を照射する光源、例えばＣＣＤのようなイメージセンサ等を有する。画像入力装置３Ａでは、載置台にセットされた原稿からの反射光像を前記イメージセンサに結像させ、ＲＧＢのアナログデータを出力する。画像入力装置３Ａが出力したアナログデータは画像処理装置４に入力される。
【００９９】
また、画像処理装置４は、Ａ／Ｄ変換部４０、シェーディング補正部４１、表示制御部４９及び入力処理部４２を備える。これらによる処理を経て出力されるＲＧＢのアナログデータは、コンピュータ、ハードディスクなどの外部装置１２又は通信装置６へ送られる。
【０１００】
なお、操作装置１０は、実施の形態１と同様に、画像表示装置８及び座標格納部７を備えており、画像表示装置８は、タッチパネル８１、位置指定受付部８２、及びページ番号特定部８３を備えている。
【０１０１】
更に、ページ番号特定部８３は、実施の形態１と同様に、距離検出部８３１と、距離判定部８３２と、係数設定部８３３と、ページ数算出部８３４と、方向指定受付部８３５と、枠表示部８３６とを備えている。
【０１０２】
本発明の実施の形態２に係る画像読取装置１Ａにおいては、画像入力装置３Ａを介して取得した画像にページ番号を付し、各画像とページ番号とを対応させて記憶部９に記憶しておき、実施の形態１と同様の処理手順によって、ページ番号特定部８３が目的ページ番号を特定し、ページ単位の複数の画像からなる画像集合から、前記目的ページ番号の画像を画像表示装置８の表示部に表示する。
【０１０３】
実施の形態１と同様の部分については、同一の符号を付して詳細な説明を省略する。
【０１０４】
（実施の形態３）
図１２は本発明の実施の形態３のデジタル複合機１の要部構成を示す機能ブロック図である。実施の形態３のデジタル複合機１は、動作を行うためのプログラムが、通信ＩＦ１１を介してＣＤ‐ＲＯＭ等の記録媒体の可搬型記録媒体Ａで提供することも可能であるように構成されている。更に、実施の形態３のデジタル複合機１は、前記コンピュータプログラムを、図示しない外部装置から通信ＩＦ１１を介してダウンロードすることも可能であるように構成されている。以下に、その内容を説明する。
【０１０５】
実施の形態３のデジタル複合機１は外装（又は内装）の記録媒体読み取り装置（図示せず）を備えており、該記録媒体読み取り装置に、表示部の表示画面への接触操作位置を検出する位置検出手段の位置検出結果に基づき、２箇所の指定を受付させ、前記２箇所の指定位置の距離を検出させ、距離の検出の結果に基づき、ジャンプすべき数値を求めさせ、前記位置検出手段の位置検出結果に基づき、前記表示部に表示された既表示画像のページ番号から昇順方向又は降順方向のジャンプ方向指定を受付させ、受け付けたジャンプ方向指定及び求められた数値に基づき、表示すべき画像のページ番号を特定させるプログラム等が記録された可搬型記録媒体Ａを挿入して、例えば記憶部９にこのプログラムをインストールする。かかるプログラムはＲＡＭにロードして実行される。これにより、実施の形態３の本発明のデジタル複合機１として機能する。
【０１０６】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１０７】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１０８】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【０１０９】
実施の形態１と同様の部分については、同一の符号を付して詳細な説明を省略する。
【符号の説明】
【０１１０】
１  デジタル複合機
２  制御部
３Ａ  画像入力装置
８  画像表示装置
１Ａ  画像読取装置
８１  タッチパネル
８２  位置指定受付部
８３  ページ番号特定部
８３１  距離検出部
８３２  距離判定部
８３３  係数設定部
８３４  ページ数算出部
８３５  方向指定受付部
８３６  枠表示部
【図１】
2011060127.tif 000003
【図２】
2011060127.tif 000004
【図３】
2011060127.tif 000005
【図４】
2011060127.tif 000006
【図５】
2011060127.tif 000007
【図６】
2011060127.tif 000008
【図７】
2011060127.tif 000009
【図８】
2011060127.tif 000010
【図９】
2011060127.tif 000011
【図１０】
2011060127.tif 000012
【図１１】
2011060127.tif 000013
【図１２】
2011060127.tif 000014